(57)【要約】      （修正有）【課題】記録媒体を安定して排出することができ、積載性の向上を図ることができる画像形成装置を提供する。【解決手段】本体ケーシングは、画像形成部により画像が形成された用紙Ｐを排出するように構成される排出口３０と、排出された用紙Ｐを積載するように構成される排紙トレイ３２と、用紙Ｐが排出口３０から排出されるときに、用紙Ｐの左右方向両端部のそれぞれに対して当接するように構成される当接部材４４とを有し、当接部材４４は、互いに異なる第１静止位置および第２静止位置のそれぞれの位置において、静止するように構成され、かつ、第１静止位置と第２静止位置とに移動可能に構成されている。【選択図】図３
2014048530.tif 000002
【特許請求の範囲】
【請求項１】
記録媒体に画像を形成するように構成される画像形成部と、前記画像形成部を収容する筐体とを備える画像形成装置であって、
前記筐体は、
前記画像形成部により画像が形成された記録媒体を積載部へ排出するように構成される排出口と、
前記記録媒体が前記排出口から排出されるときに、前記記録媒体の排出方向に沿う第１方向と直交する第２方向における前記記録媒体の両端部のそれぞれに対して当接するように構成される当接部と、を有し、
前記当接部は、
互いに異なる第１静止位置および第２静止位置のそれぞれの位置において、静止するように構成され、かつ、前記第１静止位置と前記第２静止位置とに移動可能に構成されていることを特徴とする、画像形成装置。
【請求項２】
前記当接部は、
前記第１静止位置において、前記排出口に対して相対的に近い位置に配置され、
前記第２静止位置において、前記第１静止位置よりも前記第１方向下流側であって、前記排出口に対して相対的に遠い位置に配置されていることを特徴とする、請求項１に記載の画像形成装置。
【請求項３】
前記当接部は、前記第１静止位置と前記第２静止位置とにスライド移動可能に構成されていることを特徴とする、請求項２に記載の画像形成装置。
【請求項４】
前記当接部は、
前記積載部に向かって延びるように形成され、
前記第１静止位置において、前記第１方向と前記当接部の延びる方向とが形成する角の角度が相対的に大きくなるように配置され、
前記第２静止位置において、前記第１方向と前記当接部の延びる方向とが形成する角の角度が相対的に小さくなるように配置されていることを特徴とする、請求項１に記載の画像形成装置。
【請求項５】
前記当接部は、
前記積載部側の端部と反対側の端部を支点として、前記第１静止位置と前記第２静止位置とに回動可能に構成されていることを特徴とする、請求項４に記載の画像形成装置。
【請求項６】
前記記録媒体は、
前記第２方向外側に向かうに従って、前記第１方向および前記第２方向の両方向と直交する第３方向に沿って湾曲する第１姿勢と、
前記第１方向下流側に向かうに従って、前記第３方向に沿って湾曲する第２姿勢とに変位するように構成され、
前記当接部は、
前記記録媒体が相対的に前記第１姿勢をとる傾向にある場合、前記第１静止位置に配置され、
前記記録媒体が相対的に前記第２姿勢をとる傾向にある場合、前記第２静止位置に配置されることを特徴とする、請求項１〜５のいずれか一項に記載の画像形成装置。
【請求項７】
前記筐体は、前記当接部を前記第１静止位置と前記第２静止位置とに移動させるように構成される操作部を有していることを特徴とする、請求項１〜６のいずれか一項に記載の画像形成装置。
【請求項８】
前記操作部は、前記当接部よりも前記第１方向下流側に配置されていることを特徴とする、請求項７に記載の画像形成装置。
【請求項９】
前記筐体は、原稿を読み取るように構成される画像読取ユニットを有し、
前記画像読取ユニットは、前記積載部に対して、前記第１方向および前記第２方向の両方向と直交する第３方向に間隔を隔てて対向する支持壁を有し、
前記当接部は、前記支持壁に対して、前記第３方向における前記積載部側に配置されるように、前記支持壁に支持されていることを特徴とする、請求項１〜８のいずれか一項に記載の画像形成装置。
【請求項１０】
前記当接部は、
前記第２方向に沿って延び、前記筐体に支持される軸部と、
前記記録媒体が前記排出口から排出されるときに、前記第２方向における前記記録媒体の両端部のそれぞれに対して当接するように構成される揺動部と、を有し、
前記揺動部は、
前記記録媒体と当接したときに、前記軸部を中心として揺動するように構成されていることを特徴とする、請求項１〜９のいずれか一項に記載の画像形成装置。
【発明の詳細な説明】
【技術分野】
【０００１】
本発明は、電子写真方式が採用される画像形成装置に関する。
【背景技術】
【０００２】
記録用紙に所望の画像を得るために、画像形成部および定着部を備える画像形成装置が知られている。
【０００３】
このような画像形成装置では、記録用紙には、画像形成部で形成されたトナー画像が転写され、転写されたトナー画像が定着部において加熱および加圧されることによって定着され、その後、排紙される。
【０００４】
また、このような画像形成装置では、例えば、トナー画像が定着された記録用紙は、画像形成装置内の搬送経路に設けられる各々のローラ対で搬送され、排出口を介して、排紙トレイに排出される（例えば、特許文献１参照）。
【０００５】
ここで、記録用紙は、記録用紙の繊維の方向や、周りの湿度、搬送経路の湾曲、定着部によるトナー画像の定着動作などに起因し、カールする場合がある。例えば、記録用紙の搬送方向と直交する幅方向の両端側が、互いに近接するように湾曲する場合がある（筒カール）。筒カールした記録用紙が排紙トレイ上に積載されると、後続の記録用紙の先端が、排紙トレイ上のカールした記録用紙の後端と接触し、排紙トレイに積載されている記録用紙が押し出されたり、排出中の記録用紙が詰まる場合がある。
【０００６】
そこで、特許文献１に記載の画像形成装置では、排出口の近傍に記録用紙の搬送方向と直交する幅方向の両端部を押圧する押圧部材を設け、排紙トレイに積載された記録用紙の後端部分を押圧し、後続の記録用紙の排紙トレイへの積載性の向上を図っている。
【先行技術文献】
【特許文献】
【０００７】
【特許文献１】特開２００５−０９６９６４号公報
【発明の概要】
【発明が解決しようとする課題】
【０００８】
しかるに、上記した特許文献１に記載の画像形成装置では、筒カールする記録用紙に対しては、安定した積載性を得ることはできるが、例えば、記録用紙の搬送方向両側が互いに近接するように湾曲した場合（順カール）、押圧部材によって、排出された記録用紙の先端を、湾曲させるように押圧してしまう。そうすると、排出された記録用紙が、排紙トレイの上面に対して、大きい角度で接触されることで、排紙トレイ上で丸まったり、さらに、その丸まった記録用紙に後続の記録用紙が接触し、適切に積載できないという不具合を生じる場合がある。
【０００９】
つまり、引用文献１に記載の画像形成装置では、順カールに対応できない場合がある。
【００１０】
そこで、本発明の目的は、記録媒体を安定して排出することができ、積載性の向上を図ることができる画像形成装置を提供することにある。
【課題を解決するための手段】
【００１１】
（１）上記した目的を達成するために、本発明の画像形成装置は、記録媒体に画像を形成するように構成される画像形成部と、画像形成部を収容する筐体とを備える画像形成装置であって、筐体は、画像形成部により画像が形成された記録媒体を積載部へ排出するように構成される排出口と、記録媒体が排出口から排出されるときに、記録媒体の排出方向に沿う第１方向と直交する第２方向における記録媒体の両端部のそれぞれに対して当接するように構成される当接部と、を有し、当接部は、互いに異なる第１静止位置および第２静止位置のそれぞれの位置において、静止するように構成され、かつ、第１静止位置と第２静止位置とに移動可能に構成されている。
【００１２】
このような構成によれば、当接部を第１静止位置と第２静止位置とに移動させることができる。
【００１３】
そのため、記録媒体が第２方向外側に向かうに従って湾曲（筒カール）する場合、および、記録媒体が第１方向下流側に向かうに従って湾曲（順カール）する場合の、それぞれに適した位置に、当接部を適宜移動させることができる。
【００１４】
つまり、記録媒体の姿勢に合わせて、記録媒体の両端部と当接する当接部の位置を移動させることができる。
【００１５】
その結果、記録媒体を安定して排出することができ、積載性の向上を図ることができる。
（２）また、当接部は、第１静止位置において、排出口に対して相対的に近い位置に配置され、第２静止位置において、第１静止位置よりも第１方向下流側であって、排出口に対して相対的に遠い位置に配置されていてもよい。
【００１６】
このような構成によれば、筒カールする記録媒体においては、当接部を排出口に対して相対的に近い第１静止位置に配置する。
【００１７】
これにより、記録媒体の第２方向外側と当接部とを当接させることができ、積載された記録媒体と、後続の記録媒体とを、第１方向に沿って接触しないように積載部に積載することができる。
【００１８】
そのため、積載された記録媒体に対して、後続の記録媒体を安定して排出することができる。
【００１９】
また、順カールする記録媒体においては、当接部を排出口に対して相対的に遠い第２静止位置に配置する。
【００２０】
これにより、当接部と、排出中の記録媒体の先端との当接を抑制しながら、記録媒体を積載部に沿って排出することができる。
【００２１】
そのため、当接部で、順カールする記録媒体をさらに湾曲させるように押圧することなく、記録媒体を積載部に積載させることができる。
【００２２】
その結果、記録媒体の積載性を向上させることができる。
（３）また、当接部は、第１静止位置と第２静止位置とにスライド移動可能に構成されていてもよい。
【００２３】
このような構成によれば、当接部は、スライド移動によって、第１静止位置と第２静止位置とを移動することができる。
【００２４】
そのため、簡易な構成で、当接部を第１静止位置と第２静止位置とに移動させることができる。
（４）また、当接部は、積載部に向かって延びるように形成され、第１静止位置において、第１方向と当接部の延びる方向とが形成する角の角度が相対的に大きくなるように配置され、第２静止位置において、第１方向と当接部の延びる方向とが形成する角の角度が相対的に小さくなるように配置されていてもよい。
【００２５】
このような構成によれば、筒カールする記録媒体においては、当接部を第１方向と当接部の延びる方向とが形成する角の角度が相対的に大きくなる第１静止位置に配置する。
【００２６】
これにより、記録媒体の第２方向外側と、当接部とを当接させることができ、積載された記録媒体と、後続の記録媒体とを、第１方向に沿って接触しないように積載部に積載することができる。
【００２７】
そのため、積載された記録媒体に対して、後続の記録媒体を安定して排出することができる。
【００２８】
また、順カールする記録媒体においては、当接部を第１方向と当接部の延びる方向とが形成する角の角度が相対的に小さくなる第２静止位置に配置する。
【００２９】
これにより、当接部と、排出中の記録媒体の先端との当接を抑制しながら、記録媒体を積載部に沿って排出することができる。
【００３０】
そのため、当接部で、順カールする記録媒体をさらに湾曲させるように押圧することなく、記録媒体を積載部に積載させることができる。
【００３１】
その結果、記録媒体の積載性を向上させることができる。
（５）また、当接部は、積載部側の端部と反対側の端部を支点として、第１静止位置と第２静止位置とに回動可能に構成されていてもよい。
【００３２】
このような構成によれば、当接部は、回動によって、第１静止位置と第２静止位置とに移動することができる。
【００３３】
そのため、簡易な構成で、当接部を第１静止位置と第２静止位置とに移動させることができる。
（６）また、記録媒体は、第２方向外側に向かうに従って、第１方向および第２方向の両方向と直交する第３方向に沿って湾曲する第１姿勢と、第１方向下流側に向かうに従って、第３方向に沿って湾曲する第２姿勢とに変位するように構成され、当接部は、記録媒体が相対的に第１姿勢をとる傾向にある場合、第１静止位置に配置され、記録媒体が相対的に第２姿勢をとる傾向にある場合、第２静止位置に配置されてもよい。
【００３４】
このような構成によれば、記録媒体が相対的に第１姿勢をとる傾向にある場合、すなわち、記録媒体が筒カールする場合には、当接部を第１静止位置に配置することができる。
【００３５】
また、記録媒体が相対的に第２姿勢をとる傾向にある場合、すなわち、記録媒体が順カールする場合には、当接部を第２静止位置に配置することができる。
【００３６】
つまり、記録媒体の姿勢に適した位置に、当接部を確実に配置することができる。
【００３７】
その結果、記録媒体を安定して排出することができ、積載性の向上を図ることができる。
（７）また、筐体は、当接部を第１静止位置と第２静止位置とに移動させるように構成される操作部を有していてもよい。
【００３８】
このような構成によれば、操作部を操作することにより、当接部を第１静止位置と第２静止位置とに移動させることができる。
【００３９】
そのため、当接部を円滑に移動させることができる。
（８）また、操作部は、当接部よりも第１方向下流側に配置されていてもよい。
【００４０】
このような構成によれば、当接部に対して排出口の反対側の第１方向下流側で、操作することができるので、操作部を容易に操作することができる。
（９）また、筐体は、原稿を読み取るように構成される画像読取ユニットを有し、画像読取ユニットは、積載部に対して、第１方向および第２方向の両方向と直交する第３方向に間隔を隔てて対向する支持壁を有し、当接部は、支持壁に対して、第３方向における積載部側に配置されるように、支持壁に支持されていてもよい。
【００４１】
このような構成によれば、当接部を支持するための部材を別途設けることなく、画像読取ユニットの支持壁に当接部を支持させることができる。
【００４２】
そのため、部品点数を低減することができながら、記録媒体を安定して排出、および、積載することができる。
（１０）また、当接部は、第２方向に沿って延び、筐体に支持される軸部と、記録媒体が排出口から排出されるときに、第２方向における記録媒体の両端部のそれぞれに対して当接するように構成される揺動部と、を有し、揺動部は、記録媒体と当接したときに、軸部を中心として揺動するように構成されていてもよい。
【００４３】
このような構成によれば、排出口から排出された記録媒体が当接部に当接すると、当接部は、排出途中の記録媒体の第１方向下流側への移動を規制しないように、軸部を中心として第１方向下流側に揺動される。
【００４４】
そのため、排出途中の記録媒体を、第１方向下流側に円滑に排出させることができる。
【発明の効果】
【００４５】
本発明の画像形成装置では、記録媒体を安定して排出することができ、積載性の向上を図ることができる。
【図面の簡単な説明】
【００４６】
【図１】図１は、本発明の画像形成装置の第１実施形態としてのプリンタを示す側断面図である。
【図２】図２は、図１に示すプリンタの正面図である。
【図３】図３は、図１に示すプリンタの排紙を説明するための説明図であって、（ａ）は、当接部が第１静止位置にある状態を示し、（ｂ）は、当接部が第２静止位置にある状態を示す。
【図４】図４は、第２実施形態としてのプリンタの排紙を説明するための説明図であって、（ａ）は、筒カールする用紙が排出される状態を示し、（ｂ）は、順カールする用紙が排出される状態を示す。
【図５】図５は、第３実施形態としてのプリンタの排紙を説明するための説明図であって、（ａ）は、筒カールする用紙が排出される状態を示し、（ｂ）は、順カールする用紙が排出される状態を示す。
【発明を実施するための形態】
【００４７】
１．プリンタの全体構成
図１に示すように、画像形成装置の一例としてのプリンタ１は、横置きタイプのダイレクトタンデム型カラーレーザプリンタである。プリンタ１は、筐体の一例としての本体ケーシング２内に、記録媒体の一例としての用紙Ｐを給紙するための給紙部３と、給紙された用紙Ｐに画像を形成するための画像形成部４と、画像が形成された用紙Ｐを排紙するための排紙部５とを備え、本体ケーシング２の上方に、原稿の画像情報を読み取る画像読取ユニットの一例としての画像読取部６とを備えている。
（１）本体ケーシング
本体ケーシング２は、給紙部３および画像形成部４を収容する側面視略矩形状のボックス状に形成されており、その一方側壁には、後述するプロセスユニット１１を着脱させるためのフロントカバー７が形成されている。フロントカバー７は、本体ケーシング２に対して下端部を支点として揺動自在に設けられている。
【００４８】
なお、以下の説明において、プリンタ１に関し、方向について言及する場合には、プリンタ１を水平方向に載置した状態を上下の基準とする。具体的には、図１における紙面上側を上側（第３方向一方側）とし、図１における紙面下側を下側（第３方向他方側）とする。また、フロントカバー７が設けられる側（図１における紙面右側）を前側（第１方向下流側）とし、その反対側（図１における紙面左側）を後側（第１方向上流側）とする。また、プリンタ１を前側から見たときを左右の基準とする。すなわち、図１の紙面手前側が左側（第２方向一方側）であり、紙面奥側が右側（第２方向他方側）である。
（２）給紙部
給紙部３は、用紙Ｐを収容する給紙トレイ８を備えている。給紙トレイ８は、本体ケーシング２内の底部に着脱自在に装着されている。給紙トレイ８の前端部上側には、給紙ガイド１８と、１対のレジストローラ９とが設けられている。
【００４９】
給紙トレイ８に収容されている用紙Ｐは、１枚ごとに捌かれ、給紙ガイド１８にガイドされて、両レジストローラ９間に向けて上側へ向かうに従って、後側へＵターンするように給紙され、所定のタイミングで、画像形成部４（感光ドラム１６（後述）と搬送ベルト２４（後述）との間）に向けて搬送される。
（３）画像形成部
画像形成部４は、スキャナユニット１０、プロセスユニット１１、転写ユニット１２、および定着ユニット１３を備えている。
（３−１）スキャナユニット
スキャナユニット１０は、本体ケーシング２の上部に配置されている。スキャナユニット１０は、破線で示すように、複数（４つ）の感光ドラム１６（後述）に向けて、画像データに基づいて、レーザービームをそれぞれ出射し、感光ドラム１６（後述）を露光する。
（３−２）プロセスユニット
プロセスユニット１１は、スキャナユニット１０の下側であって、転写ユニット１２の上側に配置されており、１つのプロセスフレーム１４と、各色に対応する複数（４つ）の現像カートリッジ１５とを備えている。また、プロセスユニット１１は、本体ケーシング２に対して、前後方向（第１方向）にスライドすることにより、着脱自在に設けられている。
【００５０】
プロセスフレーム１４は、本体ケーシング２に対して、前後方向に沿ってスライド可能であり、前後方向に間隔を隔てて複数（４つ）並列配置される感光ドラム１６と、感光ドラム１６の斜め後上側に間隔を隔てて対向配置されるスコロトロン型帯電器１７とを支持している。
【００５１】
複数の現像カートリッジ１５のそれぞれは、現像カートリッジ１５の下端において、後側から露出されるように回転可能に支持され、感光ドラム１６に対して上側から対向し、接触される現像ローラ１９と、現像ローラ１９にトナーを供給する供給ローラ２０と、現像ローラ１９に供給されたトナーの厚みを規制する層厚規制ブレード２０とを備え、それらの上側の空間には、各色に対応するトナーが収容されている。
【００５２】
現像カートリッジ１５内のトナーは、供給ローラ２０に供給され、さらに、現像ローラ１９に供給され、供給ローラ２０と現像ローラ１９との間で正極性に摩擦帯電される。
【００５３】
現像ローラ１９に供給されたトナーは、現像ローラ１９の回転に伴って、層厚規制ブレード２０によって厚さが規制され、一定厚さの薄層として現像ローラ１９の表面に担持される。
【００５４】
一方、感光ドラム１６の表面は、感光ドラム１６の回転に伴って、スコロトロン型帯電器１７により一様に正帯電された後、スキャナユニット１０からのレーザービーム（図１破線参照。）の高速走査により露光される。これにより、用紙Ｐに形成すべき画像に対応した静電潜像が感光ドラム１６の表面に形成される。
【００５５】
感光ドラム１６がさらに回転すると、現像ローラ１９の表面に担持され、かつ、正帯電されているトナーが、感光ドラム１６の表面に形成されている静電潜像に供給される。これにより、感光ドラム１６の静電潜像は可視像化され、感光ドラム１６の表面には、反転現像によるトナー像が担持される。
（３−３）転写ユニット
転写ユニット１２は、本体ケーシング２内において、給紙部３の上側であって、プロセスユニット１１の下側において、前後方向に沿って配置されている。この転写ユニット１２は、前後方向に間隔を隔てて対向配置される駆動ローラ２２および従動ローラ２３と、駆動ローラ２２および従動ローラ２３の周りに巻回される搬送ベルト２４と、複数の感光ドラム１６のそれぞれに対して、搬送ベルト２４の上側部分を挟んで対向する複数（４つ）の転写ローラ２５を備えている。
【００５６】
そして、給紙部３から給紙された用紙Ｐは、搬送ベルト２４によって、前側から後側に向かって、各感光ドラム１６と各転写ローラ２５とが対向する転写位置を順次通過するように搬送される。その搬送中に、各感光ドラム１６に担持されている各色のトナー像が、用紙Ｐに順次転写され、カラー画像が形成される。
（３−４）定着ユニット
定着ユニット１３は、転写ユニット１２の後側に配置され、加熱ローラ２６、および加熱ローラ２６の後下側から対向する加圧ローラ２７を備えている。転写ユニット１２において、用紙Ｐに転写されたカラー画像は、用紙Ｐが加熱ローラ２６と加圧ローラ２７との間を通過する間に、加熱および加圧されることによって用紙Ｐに熱定着される。
（４）排紙部
排紙部５は、本体ケーシング２の上側部分において、後端部が上方へ向かって突出する側面視略Ｌ字状に形成されている。排紙部５は、排紙ガイド２９と、排出口３０と、複数対（４対）の排紙ローラ３１（図２参照）と、積載部の一例としての排紙トレイ３２とを備えている。
【００５７】
排紙ガイド２９は、排紙部５の後端部内に配置されている。
【００５８】
排出口３０は、排紙部５の後端部における前面において、本体ケーシング２の内部と外部とを連通する正面視略矩形状に形成されている。
【００５９】
複数対の排紙ローラ３１は、左右方向においてそれぞれ間隔を隔てて配置されている。１対の排紙ローラ３１は、排出口３０から排出された用紙Ｐを上下方向から挟むように、上下方向に互いに対向配置されている。
【００６０】
排紙トレイ３２は、本体ケーシング２の上面に設けられ、排出口３０よりも下方に形成されている。排紙トレイ３２は、本体ケーシング２の前端縁から、後方に向かって延びる水平面３３と、水平面３３の後端縁から連続して、後側へ向かうに従って下方に湾曲される境界面３８と、境界面３８の後端縁から連続して、後下側へ傾斜する傾斜面３４とが設けられている。
【００６１】
定着ユニット１３において、トナー像が熱定着された用紙Ｐは、排紙ガイド２９にガイドされて、排出口３０に向けて、上側へ向かうに従って前側へＵターンするように搬送され、排紙ローラ３１の２つのローラの間を通って、排紙トレイ３２上に排紙される。
（５）画像読取部
画像読取部６は、排紙部５を覆うように、本体ケーシング２の上方に対向配置されている。画像読取部６は、本体ケーシング２と略同じ前後方向長さおよび左右方向長さを有する平面視略矩形状に形成されている。画像読取部６は、原稿台３５と、押えカバー３６とを備えている。
【００６２】
原稿台３５は、支持壁の一例としての支持フレーム３７と、ガラス面（図示せず）とを備えている。
【００６３】
支持フレーム３７は、平面視略矩形状の略ボックス形状に形成されている。
【００６４】
ガラス面（図示せず）は、支持フレーム３７の上面に設けられ、原稿が載置されるように形成されている。
【００６５】
押えカバー３６は、原稿台３５に揺動自在に支持され、原稿台３５を上方から被覆する平面視略矩形状の厚板形状に形成されている。
【００６６】
そして、画像読取部６では、原稿が、押えカバー３６と、原稿台３５のガラス面（図示せず）との間に配置され、原稿の画像情報が読み取られる。
【００６７】
そして、読み取られた原稿の画像情報に基づいて、画像形成部４において、上記したように、用紙Ｐの画像を形成することができる。
２．画像読取部
原稿台３５の支持フレーム３７には、１対の揺動部露出穴３９と１対の把持部露出穴４０とが形成されている。
【００６８】
また、支持フレーム３７には、１対の用紙押圧部材４３が設けられている。
（１）揺動部露出穴および把持部露出穴
１対の揺動部露出穴３９は、支持フレーム３７の下壁の後端部において、支持フレーム３７の内外を連通させるように、左右方向に間隔を隔てて形成されている。揺動部露出穴３９は、排紙トレイ３２の境界面３８近傍から、排出口３０のわずかに前方までにわたって延びる、前後方向に長手の底面視略矩形状に形成されている。
【００６９】
１対の把持部露出穴４０は、支持フレーム３７の下壁の前端部において、支持フレーム３７の内外を連通させるように、左右方向に間隔を隔てて形成されている。把持部露出穴４０は、底面視略矩形状に形成されており、その前後方向長さは、揺動部露出穴３９の前後方向長さよりも短い長さに形成されている。
（２）用紙押圧部材
（２−１）用紙押圧部材の構成
１対の用紙押圧部材４３は、図３に示すように、支持フレーム３７内において、前後方向に移動可能に配置されている。用紙押圧部材４３は、操作部材４５と当接部材４４とを備えている。
【００７０】
操作部材４５は、スライド杆５３と把持部５２とを備えている。
【００７１】
スライド杆５３は、支持フレーム３７の下壁の上面にスライド自在に支持されており、前後方向に延びる略杆状に形成されている。
【００７２】
把持部５２は、スライド杆５３の前端部の下面から、下方に突出する略角柱形状に形成されており、その下側略半分が把持部露出穴４０から露出されている。
【００７３】
当接部材４４は、スライド杆５３の後端部に設けられている。当接部材４４は、軸部４８と揺動部４９とを備えている。
【００７４】
軸部４８は、左右方向に長手（図示せず）の略円柱形状に形成されており、操作部材４５のスライド杆５３の後端部に回転可能に連結されている。
【００７５】
揺動部４９は、軸部４８に対して相対回転不能に固定されるとともに、揺動部露出穴３９から露出されている。揺動部４９は、正面視略矩形平板形状（図２参照）に形成されている。揺動部４９の下端部は、半円柱形状に形成され、排紙ローラ３１の２つのローラの対向部よりも下側に配置されている。
【００７６】
揺動部４９は、軸部４８を中心として揺動可能であり、常には、その自重によって垂下され、図示しないストッパにより、下側に向かうに従って前側に傾斜した状態、すなわち、側面視において、揺動部４９の前面と支持フレーム３７の下面とのなす角度（角度θ１とする）が略７０°となる状態で規制されている。
（２−２）第１静止位置および第２静止位置
用紙押圧部材４３は、第１静止位置（図３（ａ）参照）と、第２静止位置（図３（ｂ）参照）とにスライド移動可能に構成されている。
【００７７】
第１静止位置において、用紙押圧部材４３は、相対的に後側（排出口３０側）に配置されている。詳しくは、揺動部４９は、揺動部露出穴３９の後端部に配置され、その先端が、排紙トレイ３２の傾斜面３４の前後方向略中央部分に向かうように配置されており、把持部５２が把持部露出穴４０の後端部に配置されている。
【００７８】
第２静止位置において、用紙押圧部材４３は、相対的に前側（排出口３０と反対側）に配置されている。詳しくは、揺動部４９が揺動部露出穴３９の前端部に配置され、その先端が、排紙トレイ３２の境界面３８に向かうように配置されており、把持部５２が把持部露出穴４０の前端部に配置されている。
３．排紙動作
（１）用紙の状態
用紙Ｐは、用紙Ｐの繊維の方向、用紙Ｐ周りの湿度、本体ケーシング２内における搬送経路、用紙Ｐが圧接される加熱ローラ２６の幅方向における温度分布、および、加熱ローラ２６の外周面の幅方向における形状変化などに起因してカール（湾曲）する場合がある。
【００７９】
カールの種類には、筒カール（横カール）と順カール（縦カール）とがある。
【００８０】
筒カールとは、図２および図３（ａ）に示すように、用紙Ｐが、その搬送方向と直交する幅方向（左右方向）における両端部が互いに接近するように、上方または下方へ湾曲することである。筒カールした用紙Ｐは、正面視において略Ｕ字状をなしている。
【００８１】
順カールとは、図３（ｂ）に示すように、用紙Ｐが、その搬送方向における両端部が互いに接近するように、上方または下方へ湾曲することである。順カールした用紙Ｐは、側面視において略Ｕ字状をなしている。
【００８２】
このプリンタ１において、用紙Ｐは、その繊維の方向が搬送方向に沿って延びる場合には、加熱ローラ２６によって加熱されたときに、繊維の方向に応じて、その左右方向両端部がトナー像が定着されている面（印刷面）と反対側へ湾曲する。すなわち、排紙トレイ３２上において、用紙Ｐは、その搬送方向と直交する幅方向における両端部が互いに接近するように、上方へ湾曲する（図２および図３（ａ）参照）（筒カール）。
【００８３】
また、定着ユニット１３を通過した用紙Ｐは、Ｕターンするように搬送されるとともに、その搬送経路に応じて、その前後方向両端部が、用紙Ｐのトナー像が定着されている面（印刷面）の側へ湾曲する。すなわち、排紙トレイ３２上において用紙Ｐが、その搬送方向における両端部が互いに接近するように、下方へ湾曲する（図３（ｂ）参照）（順カール）。
【００８４】
そして、筒カールの方が順カールよりも強い場合には、筒カールの用紙Ｐが排出され、順カールの方が筒カールよりも強い場合には、順カールの用紙Ｐが排出される。
（２）第１静止位置における排紙動作
上記した筒カール（左右方向両端部が上方へ湾曲）する用紙Ｐが排紙される場合には、図３（ａ）に示すように、用紙押圧部材４３を第１静止位置に配置する。
【００８５】
用紙押圧部材４３を第１静止位置に配置するには、排紙部５と画像読取部６の間に手を入れて、把持部５２を把持し、把持部５２を、把持部露出穴４０の後端部に配置させる。すると、用紙押圧部材４３が後側へスライドされ、当接部材４４が第１静止位置に配置される。
【００８６】
用紙Ｐは、本体ケーシング２内から排出口３０を介して排出されるとともに、その左右方向両端部が互いに接近するように、上方へ湾曲し、その直後に当接部材４４の揺動部４９に当接される。このとき、揺動部４９は、排出中の用紙Ｐによって前側へ押圧されて、軸部４８を中心として、左側面視反時計回りに揺動される。
【００８７】
そして、用紙Ｐの排出口３０からの排出が完了して、用紙Ｐが排紙トレイ３２上に積載されると、積載された用紙Ｐの後端部は、排紙トレイ３２の後端部に配置される。
【００８８】
このとき、揺動部４９は、その自重により垂下され、再び、第１静止位置に配置され、用紙Ｐの後端部の上側に対向する。
【００８９】
そして、排紙トレイ３２上に用紙Ｐが積載されると、用紙Ｐの後端部が排出口３０に近接する。積載された用紙Ｐは、揺動部４９によって、その後端部における左右方向両端部の湾曲部分を、下側へ向かって押圧される。
【００９０】
これによって、積載された用紙Ｐの後端部は、排出口３０よりも下側、かつ、揺動部４９の下端部よりも後側に配置される。
【００９１】
次いで、後続の用紙Ｐが排出口３０から排出されると、まず、後続の用紙Ｐの先端部が４９に当接される。このとき、後続の用紙Ｐの先端部は、積載された用紙Ｐの後端部を前側へ押し出すことなく、積載された用紙Ｐの後端部の上側に重なる。
【００９２】
これにより、後続の用紙Ｐは、積載された用紙Ｐの上に円滑に積載される。
【００９３】
なお、用紙押圧部材４３が第１静止位置に配置された状態で、上記した順カール（前後方向両端部が下方へ湾曲）する用紙Ｐが排紙される場合（図３（ｂ）仮想線参照）には、用紙Ｐは、本体ケーシング２内から排出口３０を介して、その前後方向両端部が互いに接近するように下方へ湾曲しながら、排出される。このとき、用紙Ｐは、自重や順カールによる湾曲により、先端が下方へ湾曲するように排出されるので、用紙Ｐの先端は、揺動部４９との当接により、傾斜面３４に上方から当接される場合がある。すると、用紙Ｐが、さらに排出されたときに、用紙Ｐの先端が傾斜面３４の傾斜に沿って、後下側に押圧され、用紙Ｐが丸まったり、さらに、後続の用紙Ｐが、丸まった用紙Ｐに接触する場合がある。
（３）第２静止位置における排紙動作
上記した順カール（前後方向両端部が下方へ湾曲）する用紙Ｐが排紙される場合には、図３（ｂ）に示すように、用紙押圧部材４３を第２静止位置に配置する。
【００９４】
用紙押圧部材４３を第２静止位置に配置するには、排紙部５と画像読取部６の間に手を入れて、把持部５２を把持し、把持部５２を、把持部露出穴４０の前端部に配置させる。すると、用紙押圧部材４３が前側へスライドされ、当接部材４４が第２静止位置に配置される。
【００９５】
用紙Ｐは、本体ケーシング２内から排出口３０を介して排出され、その前後方向両端部が互いに接近するように下方へ湾曲し、排紙トレイ３２の境界面３８近傍の上方において、当接部材４４の揺動部４９に当接される。このとき、揺動部４９は、排出中の用紙Ｐによってわずかに前側へ押圧されて、軸部４８を中心として、左側面視反時計回りに揺動される。また、用紙Ｐの先端は、揺動部４９により、排紙トレイ３２の水平面３３の後端部上へ案内される。
【００９６】
そして、用紙Ｐがさらに排出されると、用紙Ｐの先端は、排紙トレイ３２の水平面３３に沿って前側へ移動し、排紙トレイ３２の水平面３３の前端部上に載置される。排出口３０からの用紙Ｐの排出が完了すると、用紙Ｐは、その前後方向中央部分が、排紙トレイ３２の境界面３８上に載置され、その後端部が、排紙トレイ３２の傾斜面３４上に載置される。
【００９７】
なお、用紙Ｐが大きく順カールしている場合には、用紙Ｐが排紙トレイ３２に積載された後、揺動部４９が、積載された用紙Ｐの前後方向略中央部分を下側へ向かって押圧する。
【００９８】
次いで、後続の用紙Ｐが排出口３０から排出されると、用紙Ｐの先端は、揺動部４９により、積載された用紙Ｐの境界面３８上に載置されている部分の上へ案内される。
【００９９】
これにより、後続の用紙Ｐの先端は、積載された用紙Ｐの水平面３３上に載置されている部分の上を前側へ移動し、積載された用紙Ｐの上に円滑に排出される。
【０１００】
なお、用紙押圧部材４３が第２静止位置に配置された状態で、上記した筒カール（左右方向両端部が上方へ湾曲）する用紙Ｐが排紙される場合（図示せず）には、排出された用紙Ｐの後端部は、排紙トレイ３２の後端部に配置される。
【０１０１】
しかし、揺動部４９は、境界面３８近傍に配置されているため、用紙Ｐの後端部における左右方向両端部は、揺動部４９によって押圧されることなく、その湾曲により、排出口３０よりも上側に配置される場合がある。
【０１０２】
このような場合には、後続の用紙Ｐの先端部が、積載された用紙Ｐの後端部を前側へ押し出す場合がある。
４．作用効果
（１）このプリンタ１によれば、図３に示すように、当接部材４４を第１静止位置と第２静止位置とに移動させることができる。
【０１０３】
そのため、用紙Ｐが筒カールする場合、および、用紙Ｐが順カールする場合の、それぞれに適した位置に、当接部材４４を適宜移動させることができる。
【０１０４】
つまり、用紙Ｐの姿勢に合わせて、用紙Ｐの両端部と当接する当接部材４４の位置を移動させることができる。
【０１０５】
その結果、用紙Ｐを安定して排出することができ、積載性の向上を図ることができる。
（２）また、このプリンタ１によれば、図３（ａ）に示すように、筒カールする用紙Ｐにおいては、当接部材４４を排出口３０に対して相対的に近い第１静止位置に配置する。
【０１０６】
これにより、用紙Ｐの後端部における左右方向両端部（第２方向外側）の湾曲部分を当接部材４４と当接させることができ、積載された用紙Ｐと、後続の用紙Ｐとを、前後方向（第１方向）に沿って接触しないように排紙トレイ３２に積載することができる。
【０１０７】
そのため、積載された用紙Ｐに対して、後続の用紙Ｐを安定して排出することができる。
【０１０８】
また、順カールする用紙Ｐにおいては、図３（ｂ）に示すように、当接部材４４を排出口３０に対して相対的に遠い第２静止位置に配置する。
【０１０９】
これにより、当接部材４４と、排出中の用紙Ｐの先端との当接を抑制しながら、用紙Ｐを排紙トレイ３２に沿って排出することができる。
【０１１０】
そのため、当接部材４４で、順カールする用紙Ｐをさらに湾曲させるように押圧することなく、用紙Ｐを排紙トレイ３２に積載させることができる。
【０１１１】
その結果、用紙Ｐの積載性を向上させることができる。
（３）また、このプリンタ１によれば、図３に示すように、当接部材４４は、スライド移動によって、第１静止位置と第２静止位置とを移動することができる。
【０１１２】
そのため、簡易な構成で、当接部材４４を第１静止位置と第２静止位置とに移動させることができる。
（４）また、このプリンタ１によれば、図３（ａ）に示すように、用紙Ｐが筒カールする場合には、当接部材４４を第１静止位置に配置することができる。
【０１１３】
また、用紙Ｐが順カールする場合には、当接部材４４を第２静止位置に配置することができる。
【０１１４】
つまり、用紙Ｐの姿勢に適した位置に、当接部材４４を確実に配置することができる。
【０１１５】
その結果、用紙Ｐを安定して排出することができ、積載性の向上を図ることができる。
（５）また、このプリンタ１によれば、図３に示すように、操作部材４５を操作することにより、当接部材４４を第１静止位置と第２静止位置とに移動させることができる。
【０１１６】
そのため、当接部材４４を円滑に移動させることができる。
（６）また、このプリンタ１によれば、図３に示すように、当接部材４４に対して排出口の反対側（第１方向下流側）、すなわち、前側で操作することができるので、操作部材４５を容易に操作することができる。
（７）また、このプリンタ１によれば、図３に示すように、当接部材４４を支持するための部材を別途設けることなく、画像読取部６の支持フレーム３７に当接部材４４を支持させることができる。
【０１１７】
そのため、部品点数を低減することができながら、用紙Ｐを安定して排出、および、積載することができる。
（８）また、このプリンタ１によれば、図３に示すように、排出口３０から排出された用紙Ｐが当接部材４４の揺動部４９に当接すると、当接部材４４は、排出途中の用紙Ｐの前側（第１方向下流側）への移動を規制しないように、軸部４８を中心として前側に揺動される。
【０１１８】
そのため、排出途中の記録媒体を、排紙トレイ３２に沿って前側に円滑に排出させることができる。
５．第２実施形態
図４を参照して、プリンタ１の第２実施形態を説明する。なお、第２実施形態において、上記した第１実施形態と同様の部材には同様の符号を付し、その説明を省略する。
【０１１９】
上記した第１実施形態では、用紙押圧部材４３において、当接部材４４の軸部４８は、操作部材４５のスライド杆５３に連結されている。そして、操作部材４５の把持部５２を把持して用紙押圧部材４３を操作することで、当接部材４４が、第１静止位置と第２静止位置とにスライド移動される（図３参照）。
【０１２０】
これに対して、本発明の第２実施形態では、操作部材４５のスライド杆５３の後端部に、当接部材４４の軸部４８が連結されておらず、操作部材４５は、接触部５８を備えている。
【０１２１】
接触部５８は、杆状部５７の後端部上面に形成されている。接触部５８は、左右方向に延びる側面視略半円形状の半円柱形状に形成されている。
【０１２２】
また、当接部材４４は、支持フレーム３７に対して、軸部４８を支点として、回動可能に支持されおり、被接触部５６を備えている。
【０１２３】
被接触部５６は、左側面視において、揺動部４９から反時計回りに略９０°の位置において、軸部４８に相対回転不能に固定され、前上側に向かって延びる略平板形状に形成されている。
（１）第２実施形態における第１静止位置と第２静止位置
次いで、第２実施形態における第１静止位置と第２静止位置とについて詳述する。
【０１２４】
第２実施形態における第１静止位置では、図４（ａ）に示すように、把持部５２が把持部露出穴４０の前端部に配置され、接触部５８の周面が、被接触部５６の下面前端部に接触されている。これにより、揺動部４９は、側面視において、軸部４８を介して、角度θ１が、常には、略７０°となるように規制されている。
【０１２５】
第２実施形態における第２静止位置では、図４（ｂ）に示すように、把持部５２が把持部露出穴４０の後端部に配置され、接触部５８の周面が、被接触部５６の下面の前後方向略中央部分に接触されている。これにより、揺動部４９は、側面視において、軸部４８を介して、角度θ１が、常には、略５５°となるように規制されている。このとき、揺動部４９は、その先端が、排紙トレイ３２の境界面３８に向かうように配置されている。
（２）第２実施形態の第１静止位置における排紙動作
上記した筒カールする用紙Ｐが排紙される場合には、図４（ａ）に示すように、用紙押圧部材４３を第１静止位置に配置する。
【０１２６】
用紙押圧部材４３を第１静止位置に配置するには、排紙部５と画像読取部６の間に手を入れて、把持部５２を把持し、把持部５２を、把持部露出穴４０の前端部に配置させる。すると、操作部材４５の接触部５８の上面が、被接触部５６の下面前端部と接触される。
【０１２７】
これによって、揺動部４９は、軸部４８を中心として回動移動され、側面視において、角度θ１が略７０°で静止する。
【０１２８】
こうして、当接部材４４が、第１静止位置に配置される。
【０１２９】
第２実施形態の第１静止位置においても、第１実施形態と同様の排紙動作により、排出口３０から用紙Ｐが排紙され、排紙トレイ３２上に積載される。
【０１３０】
なお、用紙押圧部材４３が第１静止位置に配置された状態で、上記した順カールする用紙Ｐが排紙される場合（図４（ｂ）仮想線参照）には、上記した第１実施形態と同様の排紙動作により、用紙Ｐが丸まったり、さらに、後続の用紙Ｐが、丸まった用紙Ｐに接触する場合がある。
（３）第２実施形態の第２静止位置における排紙動作
上記した順カールする用紙Ｐが排紙される場合には、図４（ｂ）に示すように、用紙押圧部材４３を第２静止位置に配置する。
【０１３１】
用紙押圧部材４３を第２静止位置に配置するには、排紙部５と画像読取部６の間に手を入れて、把持部５２を把持し、把持部５２を、把持部露出穴４０の後端部に配置させる。すると、操作部材４５の接触部５８の上面が、被接触部５６の下面の前後方向略中央部分と接触される。
【０１３２】
これによって、揺動部４９は、軸部４８を中心として回動移動され、側面視において、角度θ１が略５５°で静止する。
【０１３３】
こうして、当接部材４４が、第２静止位置に配置される。
【０１３４】
用紙Ｐは、その前後方向両端部が互いに接近するように下方へ湾曲しながら、本体ケーシング２内から排出口３０を介して排出され、第１静止位置における用紙Ｐと揺動部４９との当接部分よりもわずかに前方において、当接部材４４の揺動部４９に当接される。
【０１３５】
そして、用紙Ｐの排出方向（前後方向）と、揺動部４９の後面とがなす角度（角度θ２とする）は、第１静止位置よりも、第２静止位置の方が大きい、具体的には、揺動部４９は、その先端が排紙トレイ３２の境界面３８に向かうように配置されているので、用紙Ｐが揺動部４９に当接しても、用紙Ｐの先端を下方へ向けて押圧することなく、用紙Ｐを境界面３８に案内することができ、排紙トレイ３２に積載することができる。
【０１３６】
なお、用紙押圧部材４３が第２静止位置に配置された状態で、上記した筒カールする用紙Ｐが排紙される場合（図示せず）には、排出された用紙Ｐの後端部は、排紙トレイ３２の後端部に配置される。
【０１３７】
しかし、揺動部４９の先端は、境界面３８近傍に配置されているため、用紙Ｐの後端部における左右方向両端部は、揺動部４９によって押圧されることなく、その湾曲により、排出口３０よりも上側に配置される場合がある。
【０１３８】
第２実施形態によれば、図４（ａ）に示すように、筒カールする用紙Ｐにおいては、当接部材４４を角度θ２が相対的に大きくなる第１静止位置に配置する。
【０１３９】
これにより、用紙Ｐの左右方向両端部（第２方向外側）と、当接部材４４の揺動部４９とを当接させることができ、積載された用紙Ｐと、後続の用紙Ｐとを、前後方向に沿って接触しないように排紙トレイ３２に積載することができる。
【０１４０】
そのため、積載された用紙Ｐに対して、後続の用紙Ｐを安定して排出することができる。
【０１４１】
また、順カールする用紙Ｐにおいては、当接部材４４を角度θ２が相対的に小さくなる第２静止位置に配置する。
【０１４２】
これにより、当接部材４４の揺動部４９と、排出中の用紙Ｐの先端との当接を抑制しながら、用紙Ｐを排紙トレイ３２に沿って排出することができる。
【０１４３】
そのため、当接部材４４の揺動部４９で、順カールする用紙Ｐをさらに湾曲させるように押圧することなく、用紙Ｐを排紙トレイ３２に積載させることができる。
【０１４４】
その結果、用紙Ｐの積載性を向上させることができる。
【０１４５】
また、第２実施形態によれば、図４に示すように、当接部材４４は、回動によって、第１静止位置と第２静止位置とに移動することができる。
【０１４６】
そのため、簡易な構成で、当接部材４４を第１静止位置と第２静止位置とに移動させることができる。
６．第３実施形態
図５を参照して、プリンタ１の第３実施形態を説明する。なお、第３実施形態において、上記した第１実施形態および第２実施形態と同様の部材には同様の符号を付し、その説明を省略する。
【０１４７】
第３実施形態では、上記した第１実施形態に対して、支持フレーム３７が、角度変更部６０をさらに備えている。
【０１４８】
角度変更部６０は、揺動部露出穴３９よりも後側において、支持フレーム３７内に配置されている。角度変更部６０は、側面視略矩形状の角柱形状に形成されている。
（１）第３実施形態における第１静止位置と第２静止位置
次いで、第３実施形態における第１静止位置と第２静止位置とについて詳述する。
【０１４９】
第３実施形態における第１静止位置では、把持部５２が把持部露出穴４０の前端部に配置され、揺動部４９が揺動部露出穴３９の前端部に配置される。揺動部４９は、角度θ１が、略７０°となるように規制されている。
【０１５０】
第３実施形態における第２静止位置では、把持部５２が把持部露出穴４０の後端部に配置され、揺動部４９が揺動部露出穴３９の後端部に配置される。このとき、揺動部４９の上端部における後面と、角度変更部６０とが接触されている。これにより、揺動部４９は、角度θ１が、略５０°となるように規制される。このとき、揺動部４９は、その先端が排紙トレイ３２の境界面３８に向かうように配置されている。
【０１５１】
なお、第３実施形態においては、用紙Ｐの排出方向（前後方向）と、揺動部４９の後面との交点が、第１静止位置と第２静止位置とで同一位置となるように設定されている。
（２）第３実施形態の第１静止位置における排紙動作
上記した筒カールする用紙Ｐが排紙される場合には、図５（ａ）に示すように、用紙押圧部材４３を第１静止位置に配置する。
【０１５２】
用紙押圧部材４３を第１静止位置に配置するには、排紙部５と画像読取部６の間に手を入れて、把持部５２を把持し、把持部５２を、把持部露出穴４０の前端部に配置させる。すると、把持部５２の移動に追従して、当接部材４４が前側へ移動される。
【０１５３】
こうして、当接部材４４の揺動部４９が、揺動部露出穴３９の前端部へ移動され、当接部材４４が第１静止位置に配置される。
【０１５４】
第３実施形態の第１静止位置においても、第１実施形態と同様の排紙動作により、排出口３０から用紙Ｐが排紙され、排紙トレイ３２上に積載される。
【０１５５】
なお、用紙押圧部材４３が第１静止位置に配置された状態で、上記した順カールする用紙Ｐが排紙される場合（図５（ｂ）仮想線参照）にも、第１実施形態と同様の排紙動作により、用紙Ｐが丸まったり、さらに、後続の用紙Ｐが、丸まった用紙Ｐに接触する場合がある。
（３）第３実施形態の第２静止位置における排紙動作
上記した順カールする用紙Ｐが排紙される場合には、図５（ｂ）に示すように、用紙押圧部材４３は第２静止位置に配置される。
【０１５６】
用紙押圧部材４３を第２静止位置に配置するには、排紙部５と画像読取部６の間に手を入れて、把持部５２を把持し、把持部５２を、把持部露出穴４０の後端部に配置させる。すると、把持部５２の移動に追従して、当接部材４４が後側へ移動される。このとき、揺動部４９の上端部における後面が、角度変更部６０と接触され、揺動部４９が、軸部４８を介して、回動移動され、側面視において、角度θ１が略５０°で静止する。
【０１５７】
こうして、当接部材４４が、第２静止位置に配置される。
【０１５８】
用紙Ｐは、その前後方向両端部が互いに接近するように下方へ湾曲しながら、本体ケーシング２内から排出口３０を介して排出され、第１静止位置における用紙Ｐと揺動部４９との当接部分と略同一位置において、当接部材４４の揺動部４９に当接される。このとき、角度θ２は、第１静止位置よりも、第２静止位置の方が大きい、具体的には、揺動部４９の後面が排紙トレイ３２の境界面３８に向かうように配置されているので、用紙Ｐが揺動部４９に当接しても、用紙Ｐの先端を下方へ向けて押圧することなく、用紙Ｐを傾斜面３４に案内することができ、排紙トレイ３２に積載することができる。
【０１５９】
なお、用紙押圧部材４３が第２静止位置に配置された状態で、上記した筒カールする用紙Ｐが排紙される場合（図示せず）には、用紙Ｐは、上方へ湾曲しながら、本体ケーシング２内から排出口３０を介して排出され、第１静止位置における当接部材４４の揺動部４９の後面との交点と同一位置で当接される。
【０１６０】
このようにして、排出された用紙Ｐは、排紙トレイ３２上に積載され、積載された用紙Ｐの後端部は、排紙トレイ３２の後端部に配置される。
【０１６１】
そして、後続の用紙Ｐが排出されるまでの間、積載された用紙Ｐは、揺動部４９によって、その後側部分（排紙トレイ３２の境界面３８近傍）における左右方向両端部の湾曲を、下側へ向かって押圧されるが、その後端部における左右方向両端部の湾曲を、押圧されない。
【０１６２】
そのため、積載された用紙Ｐの後端部における左右方向両端部の湾曲は、排出口３０よりも上側に配置される場合があり、このような場合には、後続の用紙Ｐの先端部が、積載された用紙Ｐの後端部を前側へ押し出す場合がある。
【０１６３】
第３実施形態においても、上記した第１実施形態および第２実施形態と同様の作用効果を得ることができる。
７．その他の実施形態
上記したプリンタ１は、本発明の画像形成装置の一実施形態であり、本発明は、上記した実施形態に限定されない。
【０１６４】
本発明の画像形成装置は、上記したカラーレーザプリンタの他、モノクロプリンタとして構成することもできる。
【０１６５】
また、用紙押圧部材４３は、画像読取部６に代えて、例えば、天板などのように、原稿の画像を読み取る構成を備えていない部材に設けられていてもよい。
【０１６６】
その他の実施形態においても、上記した第１実施形態〜第３実施形態と同様の作用効果を得ることができる。
【符号の説明】
【０１６７】
１      プリンタ
２      本体ケーシング
４      画像形成部
６      画像読取部
３０    排出口
３２    排紙トレイ
３７    支持フレーム
４４    当接部材
４５    操作部材
４８    軸部
４９    揺動部
【図１】
2014048530.tif 000003
【図２】
2014048530.tif 000004
【図３】
2014048530.tif 000005
【図４】
2014048530.tif 000006
【図５】
2014048530.tif 000007